(57)【要約】  本発明は、中空円筒形の滑り軸受本体（２）の第一端部（４）側で径方向外側に延設される第一フランジ（３）が形成された滑り軸受（１）に関する。本発明は、また、軸受支持体（１１）に滑り軸受（１）を装着した滑り軸受システム、ならびに、滑り軸受システムを組み立てる方法に関する。本発明の目的は、軸受座（１１）に嵌合寸法より大きな寸法誤差があっても確実に締まり嵌めできるようにする滑り軸受（１）を提供する。  この目的のために、すべり本体（２）の第一端部（４）に対向する第二端部（５）は、軸方向に延びるカラー要素（７）を備えたリング（６）が形成され、カラー要素（７）は、外側に屈曲させて第二フランジ（８）を形成できるように、カラー（７）の周方向に沿って離隔して形成されている。【選択図】図１
2008536070.tif 000002
【特許請求の範囲】
【請求項１】
中空円筒形の滑り軸受本体（２）と、前記滑り軸受本体（２）の第一端部（４）に形成された径方向外側に延びる第一フランジ（３）とを備える滑り軸受であって、
前記滑り軸受本体（２）の第一端部（４）と対向関係にある第二端部（５）に、外側に屈曲させて第二フランジ（８）を形成することができるように、軸方向に延び周方向に離隔されたカラー部（７）から成るリング（６）が形成されたことを特徴とする滑り軸受。
【請求項２】
前記カラー部（７）の肉厚が、前記滑り軸受本体（２）の肉厚よりも薄い請求項１記載の滑り軸受。
【請求項３】
前記滑り軸受本体（２）の内径（ｄｉ）が、前記リング（６）の内径（ｄｉ）と等しい請求項１または２記載の滑り軸受。
【請求項４】
前記カラー部（７）は、軸方向自由端側に向かって最大で滑り軸受本体（２）の外径（ｄａ）へ達するところまで、その外側に拡がって形成されて成る請求項１乃至３いずれか記載の滑り軸受。
【請求項５】
前記カラー部（７）の自由端に斜面（２４）が形成され、前記斜面（２４）は、滑り軸受本体（２）から前記自由端へと向かう方向に沿って、内側から外向きに拡がって形成された請求項１乃至４いずれか記載の滑り軸受。
【請求項６】
射出成形部品により形成された請求項１乃至５いずれか記載の滑り軸受。
【請求項７】
請求項１乃至８いずれか記載の滑り軸受（１）と軸受支持体（１１）とを備え、当該軸受支持体（１１）は、前記滑り軸受（１）を支持するために滑り軸受本体（２）の外径（ｄａ）に適合する取付孔（１４）を穿設した軸受座（１３）を備えて成る滑り軸受システムであって、
取付孔（１４）は、２つのフランジ（３、８）と接触する軸受座（１３）の２つの接触面（１５、１６）に開口形成され、
第一フランジ（３）に当接される接触面（１５）が嵌込方向（ａ）の正面側に形成され、カラー部（７）を屈曲することにより形成された第二フランジ（１３）に当接される接触面（１６）が嵌込方向（ａ）の背面側に形成されたことを特徴とする滑り軸受けシステム。
【請求項８】
前記滑り軸受本体（２）の軸方向長さが、前記取付孔（１４）の軸方向長さよりもわずかに短く形成されて成る請求項５記載の滑り軸受システム。
【請求項９】
前記軸受座（１３）の背面側接触面（１６）が、当該滑り軸受システム（１２）を装着する構成要素に対して、当該滑り軸受システム（１２）を当接させる当接面（２３）となっている請求項７又は８記載の滑り軸受システム。
【請求項１０】
前記当接面（２３）を前記構成要素に当接させて前記滑り軸受システム（１２）を固定するための固定部（２１）を備えた請求項９記載の滑り軸受システム。
【請求項１１】
請求項１乃至８いずれか記載の滑り軸受（１）を用いて請求項９乃至１５いずれか記載の滑り軸受システム（１２）の組立方法であって、
軸方向に延びるカラー部（７）、滑り軸受本体（２）及び第一フランジ（３）を有する、前記滑り軸受（１）を設けるステップと、
前記滑り軸受（１）の第一フランジ（３）が、前記滑り軸受本体（２）へと向かうその内面で軸受座（１３）の正面側接触面（15）に当接するように、滑り軸受（１）のカラー部（７）及びそれに続く滑り軸受本体（２）を嵌込方向（ａ）で取付孔（１４）に挿通するステップと、
前記軸方向に延びるカラー部（７）をそれらの自由端で径方向に屈曲させるステップとを含む方法。
【請求項１２】
カラー部（７）を屈曲させるため、作業位置で第一フランジ（３）に当接される第一の要素（２５）と、前記カラー部（７）を屈曲させるために嵌込方向（ａ）の反対側から軸受座（１３）の背面側の接触面（１６）に向かって案内される第二要素（３２）とを備えた嵌付工具（１７）により、前記カラー部（７）を背面側接触面（１６）へと径方向に屈曲させる操作が一つの作業工程で行われる請求項１１記載の方法。
【請求項１３】
前記工具（１７）は、第一の要素（２５）として、ネジヘッド（２７）とネジ軸（２８）とを備えるネジ（２６）を有し、前記ネジ軸（２８）は、前記ネジヘッド（２７）により近い平滑な第一の部分（２９）と、好ましくは前記第一の部分から自由端に至る部分に雄ネジ（３１）を形成した第二の部分（３０）とを備え、
前記第二要素（３２）として、前記第二の部分（３０）を係合させるためのネジ切りされたネジ孔（３４）が垂直に設けられた押圧面（１９）を有し、
前記カラー部（７）を屈曲させるため以下のステップ、すなわち、
前記ネジヘッド（２７）の下面が前記第一フランジ（３）に当たるまで、前記ネジ軸（２８）を嵌込方向（ａ）で前記滑り軸受本体内に貫通して差し込むステップと、
前記第二の部分（３０）を、前記ネジ切りされたネジ孔（３４）内に係合させるステップと、
前記押圧面（１９）を、嵌込方向（ａ）の反対側から軸受座（１３）の背面側接触面（１６）に向かって移動させることにより、カラー部（７）を同時に屈曲させて第二フランジ（８）を形成するステップと、
を含む請求項１２記載の方法。
【請求項１４】
組み立てられた滑り軸受システム（１２）を、その前記軸受座（１３）の背面側接触面（１６）を当接面（２３）として用いて構成要素に当接し、前記カラー部（７）を屈曲形成した第二フランジ（８）を前記構成要素と前記当接面（２３）との間で効果的に締め付けることにより、当該滑り軸受システム（１２）を固定部（２１）によって前記構成要素に固定的に連結するさらなるステップを備えた請求項１１乃至１３いずれか記載の方法。
【発明の詳細な説明】
【技術分野】
【０００１】
本発明は、中空円筒状の滑り軸受本体と、その滑り軸受本体の一端側に形成された半径方向外側に広がる第一フランジとを備える滑り軸受（ｓｌｉｄｅ  ｏｒ  ｐｌａｉｎ）に関する。
本発明はさらに、滑り軸受とその支持体とを備える滑り軸受システム、ならびにその滑り軸受システム組立方法に関する。
【背景技術】
【０００２】
上述した種類の滑り軸受は、例えば、自動車製造において大量生産品として使用され、それらは、径方向及び軸方向に作用する力及びモーメントを担持するために、支持体の取付孔内に締まり嵌めされて取り付けられる。滑り軸受が支持体内に確実に嵌め付けられるように、取付孔は、滑り軸受と支持体との間の強固な嵌め合いを実現する程度の精密公差で非常に正確に機械加工されなければならない。これは、特に大量生産において非常に問題である。すなわち、支持体となる通常の金属板は、寸法の誤差を生じやすいからである。
【発明の開示】
【発明が解決しようとする課題】
【０００３】
したがって、本発明は、本明細書の冒頭に説明した種類の滑り軸受について、支持体の寸法誤差が大きくても軸受けを支持体に対して強固に締まり嵌めすることができるようにすることを技術的課題としている。
【課題を解決するための手段】
【０００４】
本発明によれば、第二フランジを設けるために外側に屈曲させることができるカラー部が、滑り軸受本体の第一端部と対向関係にある第二端部において、軸方向に延び、周方向で離隔して形成されたことにより目的が実現される。
【０００５】
すなわちカラー部は、滑り軸受本体の第二端部から、舌片状の構成で軸方向に延び、リングの外径及び滑り軸受本体の外径は、滑り軸受を受けるための支持体の取付孔の内径とほぼ等しく形成されている。その嵌込位置において、嵌込方向に対して正面に位置する支持体の接触面に第一フランジが当たるまで、カラー部を嵌込方向で取付孔内に通すことができる。次いでカラー部は、第二フランジを形成するために、嵌込方向に対して背面側にある接触面に第二フランジが当たるまで、固定位置へと屈曲させることができる。そのようにして、滑り軸受を両側にて、２つのカラー部によって支持体内に保持することができるため、滑り軸受または滑り軸受本体及び取付孔の直径に関する精密な寸法公差を要求する従来技術に従って滑り軸受本体を支持体内に圧入することによる、締まり嵌めの必要がない。
【０００６】
好ましい発展形態では、カラー部の壁厚を、滑り軸受本体の壁厚未満とすることができる。それによって、カラー部をより容易に屈曲させることができる。その点に関して、滑り軸受本体とリングとの間の移行部として、段差が設けられる。好ましくは、カラー部は、滑り軸受本体の壁厚がカラー部の壁厚と連続する滑り軸受本体へと向かう移行領域を有するべきである。移行領域は、カラー部が屈曲されるときに、段差と比べて亀裂の形成に関する影響を受けにくくなる可能性がある。一構成では、移行領域は、容易に製造することができるように直線的に狭くなる断面形状とすべきである。その目的のために、移行領域は、その径方向外側の面に斜面を形成することができる。この構成により、カラー部が屈曲されたときにてこの作用を生じ、それによって滑り軸受が、その滑り軸受本体と共にさらに取付孔内へと引き込まれ、そのため第一フランジは、支持体の嵌込方向正面に位置し、第二フランジの反対側に形成される接触面に押し付けられる。さらに、外周面に形成されたスロープによって、滑り軸受を取付孔内へと容易に差し込むことが可能になる。そして、てこの作用を最適化するために、滑り軸受本体の内径を、リングの内径と等しくすることができる。
【０００７】
好ましい実施形態では、滑り軸受のカラー部は嵌込位置において、最も外側でもそれらの自由端が滑り軸受本体の外周を越えて径方向に突出しないところまで、径方向外側に拡がって形成されている。これにより、カラー部は、依然、いかなる問題も伴わずに取付孔を通して案内されることとなる。また、それらのカラー部が部分的に径方向に延びていることにより、例えば、第一フランジと平行な平坦な押圧面を嵌込方向反対側から自由端に向かって案内させることにより、カラー部をさらに径方向外側に屈曲させ易く、この場合、自由端は、その接触面にて径方向外側に摺動していく。
【０００８】
好ましくは、自由端は、内側から外側へと嵌込方向に向かって拡がる斜面を備える。嵌付工具の押圧面がまず、自由端の径方向外側縁部にそれぞれ係合し、てこの作用の結果として、径方向外向きに作用する外力・曲げモーメントを生じさせ、その斜面によって、特に、軸方向またはほぼ軸方向のカラー部の第一の屈曲運動が容易になる。
【０００９】
好ましくは、滑り軸受は、好ましくはプラスチックの射出成形部品の型で一体的に製作される。その場合、プラスチック材料は、従来の滑り軸受のものと同様、滑り軸受の意図された用途に合う特性によって分類することができる。それらは例えば、耐摩耗性、耐熱性、耐腐食性、振動減衰、及び低重量を含み、滑り軸受内のシャフトの保守不要な乾燥駆動が可能になる。滑り軸受は、複数のプラスチック材料から、複数構成要素射出成形工程において製作することができる。その目的のために、たとえば、支持されるシャフトがそれに接触して回転する滑り軸受の滑り軸受表面は、特に、耐摩耗性及び耐熱性プラスチック材料とすることができ、カラー部及び滑り軸受表面を支持する滑り軸受本体の部品は、良好な防振性を有するプラスチック材料を含むことができる。
【００１０】
さらに、本発明の目的は、上記実施形態による滑り軸受と、軸受支持体を備えた滑り軸受システムを提供することによって達成される。軸受支持体は、滑り軸受を支持するために滑り軸受本体の外径に適合された取付孔が形成された軸受座を有し、取付孔は、２つのフランジに接触する両面、すなわち、嵌込方向から見て正面側にあり第一フランジに接触するための接触面と、嵌込方向から見て背面側にありカラー部の屈曲によって形成された第二フランジに接触するための接触面に開口している。したがってそれは、以下でさらに詳細に説明するように、大量生産品として予め製造することができる滑り軸受システムを提案する。
【００１１】
軸受座の背面側接触面は、滑り軸受システムを取り付けることができる構成要素に対して滑り軸受システムを当接させるための当接面となっている。その目的のために、当接面は、所定の構成要素に対して特異的に適合させることができ、または大量生産品という意味では、固定用挿通孔の長手軸に対して垂直関係で延びる平坦な面の形とすることができる。
【００１２】
滑り軸受の好ましい構成では、滑り軸受本体の軸方向長さは、取付孔の軸方向長さよりもわずかに短くすることができる。そのようにして、カラー部は、滑り軸受が取付孔内に挿入された後に、それらの端部の対応する大きさの領域が、取付孔内で滑り軸受本体に連結されたままとなる。第二フランジを設けるためにカラー部が屈曲させられることにより、滑り軸受本体は、取付孔内へと嵌込方向にさらに引き込まれ、取付孔内での滑り軸受の強固な嵌合が補強される。それに伴う大きさは、滑り軸受本体の壁厚のほぼ等倍から２倍に相当する可能性がある。
【００１３】
滑り軸受システムを構成要素に固定及び／または締結するために、滑り軸受システムは、固定部を有することができる。好ましくは、軸受支持体は、提供される固定部によって、構成要素に固定することができる。
【００１４】
また、滑り軸受は、滑り軸受システムを設けるために、基本的に２つの組立てステップで軸受支持体に組み付けることができ、軸方向に延びるカラー部を有する滑り軸受及び軸受支持体が、たとえば別々のディスペンサから提供された後、第一フランジが滑り軸受支持体へ移動し、正面側接触面に当接させる方法で、滑り軸受のカラー部及びそれに続く滑り軸受本体を、取付孔を通して嵌込方向で嵌め入れることができる。
第二の組立ステップでは、まず、軸方向カラー部を、適当な嵌付工具によって、たとえば、先端を滑り軸受と同軸にして、嵌込方向と対向関係で滑り軸受本体内へと動かされる錐体を用いて、その自由端で径方向に屈曲させることができる。次いで、背面側接触面に接触する平坦な押圧面を有する嵌付工具によって、カラー部を押圧することができ、この場合カラー部は、背面側接触面に当接されることになる。カラー部を、１つの作業動作で背面側接触面と接触する位置へと屈曲させるために、嵌付工具は、カラー部を屈曲させる第一のステップのために、かつ／または中空円筒形の滑り軸受本体内に嵌付工具を軸方向に案内するために、中央の好ましくは円筒形の盛り上がった部分を有する平坦な押圧面を備えることができる。次いで、組み立てられた滑り軸受システムは、軸受本体の背面側接触面を当接面として、構成要素に当接させるようにすることができ、かつ、屈曲させられたカラー部によって形成された第二フランジが、構成要素と軸受支持体との間で効果的に締め付けられて、滑り軸受が支持体内の回転及び移動に対して固定されることが保証されるように、滑り軸受システムを、固定部によって構成要素に固定的に連結させることができる。カラー部が屈曲させられ、定位置で締め付けられることにより、カラー部はさらに、滑り軸受本体及び第一フランジを取付孔内へとさらに引き込み、またはそれらを支持体の嵌込方向正面側接触面に強く押し付けることができ、そのため、締まり嵌めをさらに補強することができる。
【００１５】
その単純な組立て手順は、大量生産部品の製造によく適している。滑り軸受は、たとえば１つの場所で予め製造し、別の場所で使用することができる。
【００１６】
固定部として、ネジまたはリベットを構成要素に連結するために軸受支持体に設けられた少なくとも１つの挿通孔を形成することができる。対応する挿通孔の列は、大量生産構成として構成要素内に設けることができ、構成要素内の滑り軸受システムの所期の位置決めに従って、その固定のために使用することができる。好ましくは、挿通孔の長手軸は、取付孔の長手軸と平行に、接触面と垂直に延びる。したがって、長手軸は、当接面が構成要素に対して押し付けられる加圧方向に延びる。軸受支持体はそれ自体、好ましくは薄金板から製作することができる。
【００１７】
望ましい構成では、取付孔の周りで周縁上に互いに対向関係で配列される、２つの挿通孔が設けられる。
望ましくは、薄板金で製造される軸受座は、２本の異なる長さの対角線を有する菱形輪郭を備えることができ、挿通孔は、長い方の対角線が対面する隅部内に配置され、取付孔は、２つの対角線の交点にて中心に配置される。ネジまたはリベット連結に加えて、径方向の力を担持するためのプラグ連結も可能である。
【００１８】
その他の実施形態はまた、３つ以上の挿通孔の配列を有することができ、それらは好ましくは、周縁上に、それらの中心点間の角度間隔が等しい状態で線対称に配列される。
【００１９】
比較的大きい径方向荷重が生じる場合に特に適していると思われる、滑り軸受システムの別の固定形態では、滑り軸受システム内で支持されるシャフトが、固定位置で取付孔と位置合せして配列される構成要素内の挿通孔によって、さらに案内される。これらの挿通孔ではまた、より大きい公差を許容することができる。この形態では、滑り軸受は、リニア軸受として働くことができる。
【００２０】
上記実施形態のうちの１つによる滑り軸受を用いた上記実施形態のうちの１つによる滑り軸受システムは、以下の方法ステップ、すなわち、軸方向に延びるカラーを有する滑り軸受及び受容本体を提供するステップと、滑り軸受のカラー部及びそれに続く滑り軸受本体を、その第一フランジが滑り軸受本体の方へと向かうその内面で軸受本体の正面側接触面に当たるように、嵌込方向で取付孔に通すステップと、軸方向カラー部をそれらの自由端で径方向に屈曲させるステップとにおいて、組み立てることができる。
【００２１】
軸方向カラー部の屈曲動作は、２つの方法ステップにおいて行うことができ、カラー部は、第一のステップで、適当な嵌付工具によって、たとえば、先端を滑り軸受（２）と同軸にして嵌込方向（ａ）と対向関係で滑り軸受本体（２）内へと動かされる錐体などを用いて、その自由端で径方向に屈曲させられ、第二のステップで、背面側接触面に接触する平坦な押圧面を有するさらなる嵌付工具を用いてプレスされる。
【００２２】
好ましくは、カラー部を背面側接触面に向かって径方向に屈曲させる動作は、１つの作業動作において行われる。カラー部を屈曲させるための嵌付工具は、第一の要素が、作業位置で第一フランジに当たり、またカラー部を屈曲させるために、第二の要素を用いて嵌込方向の反対側から軸受座の背面側接触面に向かって案内される。
【００２３】
その場合、嵌付工具の第二の要素は、まずカラー部を屈曲させるために、かつ／または中空円筒形の滑り軸受本体内に嵌付工具を同軸に案内するために、中央の好ましくは円筒形に盛り上がった部分を備える平坦な押圧面を有することができ、その中心の盛り上がった部分とともに、滑り軸受に対して同軸に、かつ嵌込方向と反対側から滑り軸受本体内へと動かすことができる。第一の要素は、第一フランジに対して押し付けられる加圧要素、特に加圧パンチとすることができる。
【００２４】
上記のように、屈曲させられていない状態にあるカラー部の径方向移動構成要素が、最も外側でそれらが滑り軸受本体の外周と同じところまで径方向に突出する程度に延びる場合、カラー部の屈曲動作もまた、カラー部を屈曲させるための平坦な押圧面を有する嵌付工具を用いて、一ステップで行うことができる。その目的のために、押圧面を、接触面と平行に、かつ嵌込方向と対向関係で、軸受支持体によって案内されるカラー部の自由端に向かって案内することができ、そのようにして、カラー部をそれらの自由端で、摺動関係で径方向外側に屈曲させることができる。屈曲動作は、カラー部が背面側接触面に接触するまで行うことができる。
【００２５】
好ましい構成では、嵌付工具は、第一の要素として、ネジヘッドとネジ軸とを備えるネジを有することができ、ネジ軸は、ネジヘッドにより近い平滑な第一の部分と、好ましくは自由端にまで隣接し雄ネジを備える第二の部分とを備え、嵌付工具はまた、第二の要素として、その中に第二の部分を係合させるために垂直に設けられたネジ切りされたネジ孔を備える、押圧面を有する。カラー部を屈曲させる動作は、以下の方法ステップ、すなわち、ネジ軸を、ネジヘッドの下面が第一フランジに当たるまで、嵌込方向で滑り軸受本体内へとまたそれを通して軸方向に差し込むステップと、第二の部分をネジ切りされたネジ孔内に係合させるステップと、嵌込方向（ａ）と対向関係で軸受座（１３）の前記背面側接触面（１６）に向かってネジ込むことによって、ネジを回し続けて押圧面を移動させるステップであって、第二フランジがもたらされると同時にカラー部が屈曲させられるステップにおいて行うことができる。
【００２６】
カラー部を屈曲させるために、ネジは、その軸部が取付孔を通って突出する状態で、その頭部の下面が第一フランジに当たり、取付孔内で平滑な部分を備えて構成され、好ましくは内側で移動可能に滑り軸受本体に当たり、その雄ネジが取付孔外へと延出し、雄ネジを雌ネジ山と係合させるように、構成することができる。カラー部を屈曲させるために、ネジを回転させることによって押圧面をカラー部の自由端に向かって移動させることができ、さらに、カラー部が背面側接触面に当たり第二フランジを形成するようにカラー部は、屈曲させられる。
【００２７】
ネジヘッドの外径は、第一フランジ全体を用いて必要な圧力を加えることができるようにするため、少なくとも第一フランジの外径と同じ大きさにすることができる。好ましくは、ネジ切りされたネジ孔が、押圧面の中央に設けられる。
【００２８】
第二の部分の外径は、好ましくは、第一の部分の外径よりも小さい。そのようにして、カラー部を屈曲させるために、押圧面は、カラー部の自由端を越えて径方向内側に突出し、自由端に係合することができ、カラー部をより容易かつ確実に屈曲させることを可能にすることができる。
【００２９】
組み立てられた滑り軸受システムは、軸受本体の背面側接触面を、構成要素に当たる当接面として取り付けることができ、かつ、固定部によって構成要素に固定的に連結させることができ、そのため、カラー部の屈曲によって形成される第二フランジが、構成要素と受容本体との間で効果的に締め付けられる。
【００３０】
カラー部が屈曲させられ、続いて定位置で締め付けられることにより、滑り軸受本体及び第一フランジを、取付孔内へとさらに引き込むことができ、第一フランジを、軸受支持体の正面側接触面に対して押し付けることができる。
【００３１】
ネジ及び接触圧力を用いる上記嵌付工具を使用するとき、滑り軸受システムを接触させるために設けられ、ネジ用の雌ネジ山を有するネジ切りされたネジ孔が内部に設けられる構成要素の側面は、接触押圧面として働くことができる。そのようにして、第一のステップで、滑り軸受システムを、作業片に対してネジ付けし、第二フランジを同時に形成することができる。後続のステップで、滑り軸受システムは、それに設けられる固定部によって、構成要素に連結させることができる。最後に、嵌付工具からネジを緩めて、滑り軸受システムから取り外すことができる。
【００３２】
上記で説明したように、固定位置で取付孔と位置合せされるネジ孔を、構成要素内にさらに配置することができる場合、ネジヘッドの代わりに、その上に係合するネジナットを有するネジ切りされた軸部と、少なくとも第二の部分を解放可能に径方向に広げることができる、ネジ山の代わりまたは追加の第二の部分とを設けることができ、それによって、第二の部分を、ネジ孔の内側にて固定部分内に固定することができ、すなわち、ネジナットを第一フランジに対して締め付けるための支持を形成することができる。
【００３３】
以下、本発明を、添付の図面を参照しながら一実施形態を例として用いて、より詳細に説明する。
図１は、滑り軸受の第一の実施形態を示す斜視図である。
図２は、滑り軸受を示す平面図である。
図３は、滑り軸受を示す縦断面図である。
図４ａ〜４ｃは、図１の滑り軸受のアセンブリを、嵌付工具を用いて滑り軸受システムを設けるための軸受支持体とともに示す縦断面図である。
図５は、滑り軸受の第二の実施形態を示す縦断面図である。
図６ａ〜６ｃは、図５の滑り軸受のアセンブリを、嵌付工具を用いて滑り軸受システムを設けるための軸受支持体とともに示す縦断面図である。
【発明を実施するための最良の形態】
【００３４】
図１から図３は、滑り軸受１の第一実施形態を示し、滑り軸受１は、中空の円筒形滑り軸受本体２と、滑り軸受本体２の第一端部４から径方向外側に延びる第一フランジ３とを備える。第一端部４の反対側端部となる滑り軸受本体２の第二端部５には、軸方向に延び周方向に離隔されたカラー部７を備えたリング６が形成されている。図４ａから図４ｃに示すように、カラー部７が外側に屈曲されると、図４ｂ及び図４ｃに示す第二フランジ８が形成される。
【００３５】
特に図１及び図３に見られるように、カラー部７の厚さは、滑り軸受本体２及び第一フランジ３の厚さよりも小さい。滑り軸受本体２の内径ｄｉは、リング６の内径ｄｉと等しい。さらに、カラー部７は、その径方向外側側面にてスロープ１０の形の直線状断面テーパを有する移行領域９で、滑り軸受本体２へと連続形成されている。それによって、以下に詳細に示すように、カラー部７を屈曲させて図４ｂ及び図４ｃに示す第二フランジ８を形成することにより、滑り軸受本体２をその第一フランジ３とともに、図４ａから図４ｃに示す軸受支持体１１側へとさらに大きく拡径させることができる。
【００３６】
本実施形態では、カラー部７は、周上に均等に離隔して構成される。ここでは、１０個のカラー部が、第二端部と一体に形成される。滑り軸受本体２の端部開口は、第一端部４に向かって丸みがつけられている。
【００３７】
図４ａから図４ｃは、図１から図３に示す滑り軸受１と軸受支持体１１とを有する滑り軸受システム１２を示し、支持体１１は、軸受座１３に、滑り軸受本体２の外径ｄａに適合された取付孔１４が形成されて成る。取付孔１４は、２つのフランジ２、８に接触する働きをする軸受座１３の両面、すなわち、嵌込方向ａに対して正面側にあり第一フランジ３と接触する側面１５と、嵌込方向ａに対して背面側にあり屈曲したカラー部７によって形成される第二フランジ８と接触する側面１６に開口している。
【００３８】
図４ａから図４ｃは、各作業段階における滑り軸受システム１２のアセンブリを示す。図４ａにおいて、滑り軸受１は、嵌込方向ａに向かって第一フランジ３が側面１５に当たるところまで取付孔１４に差し込まれる。
【００３９】
図４ｂは、加圧パンチ１８の形状の嵌付工具１７を示し、その嵌付工具１７は、押圧面１９と円筒突起部２０とを有し、円筒突起部２０は軸受本体２の内径に適合するように形成され、嵌付工具１７を滑り軸受１内で同軸的に案内するようになされている。この場合、図４ｂは、加圧パンチ１８の押圧面１９によって、第二フランジ８を設けるためにカラー部７が既に屈曲され、滑り軸受アセンブリ１２が形成された状態を示す。
【００４０】
滑り軸受本体２は、滑り軸受１が取付孔４（１４の誤記）内に差し込まれるときに、その第二端部１５（５の誤記）が背面側接触面１６まで延びず、そのため、滑り軸受本体２に連結された端部領域が、カラー部７への移行領域９とともに取付孔１４内に留まることが、図４ａから図４ｃにはっきりと見られる。カラー部７が屈曲されたとき、カラー部７の断面が滑り軸受本体２の断面に対して小さくなっていること、及びカラー部７の端部領域が取付孔１４内に留まっていることにより、滑り軸受１は、取付孔１４で嵌込方向ａへ向かってさらに引っ張られる。それにより、第一フランジ３が、軸受支持体１１の正面側接触面１５に対してより強く引っ張られることになる。このようにして、軸受支持体１１内の滑り軸受１の締まり嵌めは、一般に強化され、軸受支持体１１内での滑り軸受１の回転に対する抵抗が増大する。
【００４１】
滑り軸受システム１２はまた、それを他の構成要素（図示せず）に対して固定するための固定部２１を備える。固定部２１は、軸受座１３内に設けられ取付孔１４と平行に延びる２つの挿通孔２２を有し、滑り軸受システム１２を構成要素に固定するために、例えばネジまたはリベットなどの緊締要素を、挿通孔２２に通すことができる。挿通孔２３（２２の誤記）は、取付孔１４の両側に、互いに対向関係で、取付孔１４と一列に配列される。
【００４２】
滑り軸受システム１２を他の構成要素（ここでは図示しない）に固定するために、滑り軸受システム１２を、軸受本体２の当接面２３となる背面側接触面１６を当該他の構成要素に接触させるように嵌込方向ａに押し当てることができ、この状態で、固定部２１によって連結させることができる。それにより、屈曲したカラー部７によって形成される第二フランジ８が、他の構成要素と当接面２１（２３の誤記）との間で効果的に締め付けられ、軸受支持体１１内での滑り軸受１の非回転性及び非移動性が、実質的に向上する。
【００４３】
すなわち、滑り軸受システム１２は、大量生産部品の形で予め製造し、構成要素上の準備された位置に固定することができる。その目的のために、構成要素はたとえば、滑り軸受システム１２へのネジ連結部を作り出すための開口の列を有することができ、それらは、構成要素上の滑り軸受システムの、それぞれ所望の位置決めに応じて選択することができる。したがって、ここで示す滑り軸受システム１２は、同様に大量生産部品の形である構成要素に固定することができる、大量生産部品として適当であり、滑り軸受システム１２を選択的に固定する所要数の開口が予め形成されている。
【００４４】
図５は、第二の実施形態における滑り軸受１の縦断面図を示す。
本例の滑り軸受１は、カラー部７の構成において、第一の実施形態の滑り軸受１と異なる。カラー部７は、それによって取り囲まれる内部空間が嵌込方向ａに向かって円錐状に拡張するように、その自由端に近づくに従って外側に拡張して形成されている。このことは、図５に示すように、滑り軸受本体２を外径ｄａのまま延長した場合の破線が、断面で示されるカラー部７に徐々に近づいていることからもわかる。また、カラー部の自由端先端部には斜面２４がそれぞれ設けられ、当該斜面２４は、嵌込方向ａまたは滑り軸受本体２から離れる方向に従い内側から外側へと傾斜している。これら双方の手段により、以下に示すように、カラー部７の自由端をその半径方向外側に、より簡単に、より確実に曲げることができ、また、カラー部７を基点Ｐにて確実に折り返すことができるようになっている。基点Ｐは、カラー部７に向かう滑り軸受１の薄い肉厚部分の始点となる位置を表している。
【００４５】
図６ａから図６ｃは、カラー部７の屈曲に伴う手順を３つのステップで示す。その目的のために使用される嵌付工具１７は、図４ａから図４ｃに示したものと根本的に異なるが、図４ａから図４ｃに示した嵌付工具１７と同様、カラー部７を、それらによって第二フランジ８（図６ｃ）が形成されるようなやり方で屈曲させる機能を果たす。嵌付工具１７の第一の要素２５は、ネジヘッド２７及びネジ軸２８を備えるスクリューボルト２６を有する。ネジ軸２８は、ネジヘッド２７と隣接し平坦な表面を有する第一の部分２９を備え、その端部領域において雄ネジ３１を有する第二の部分３０が連結されている。嵌付工具１７の第二の要素３２は、押圧面１９を有するプレートの形の構成要素３３である。構成要素３３には、ネジ切りされたネジ孔３４が押圧面１９と垂直に設けられており、ネジ孔３４内に第二の部分３０が係合して、その雄ネジ３１がネジ切りされたネジ孔３４内の雌ネジ３５と螺合する。
【００４６】
図６ａにおいて、ネジ軸２８は、屈曲動作時にネジヘッド２７を第一フランジ３に表面接触させ、フランジ３を正面側接触面１５に対して押し付けるところまで、軸方向に従い嵌込方向ａに向かって滑り軸受本体２の貫通して案内される。スクリューボルト２６の第一の部分２９は、滑り軸受本体２の内面に当接され、後工程におけるカラー部７の屈曲動作中に滑り軸受本体を安定させる。第二の部分３０は、滑り軸受本体２の外まで、嵌込方向ａに延設される。第一の部分（２９）の直径は、滑り軸受本体２の内径ｄｉと一致するが、第二の部分３０の直径は、それよりかなり小さい。その結果、構成要素２３（３３の誤記）の押圧面１９は（滑り軸受１の）径方向内側に拡がることとなり、カラー部７の自由端は押圧面１９の径方向内縁部から所定間隔離れた位置で押圧面１９に確実に当接される。第二の部分３０は、構成要素３３のネジ切りされたネジ孔３４と螺合する。この場合、構成要素３３は、押圧面１９にてカラー部７の自由端と接触するところまで、第二の部分３０上にネジ係合されている。すなわち、図６ａは、カラー部７の屈曲開始前の瞬間を示す。上記で既に述べたように、まだ屈曲されていないカラー部７のリングは、わずかな円錐構成で嵌込方向に開いている。
【００４７】
ネジ運動の前進とともに、押圧面１９が軸受座１３の背面側接触面１６に接近すると、カラー部７は、その自由端が押圧面１９に接触した状態で径方向外側に摺動し、径方向外側に屈曲される。この状況において、カラー部７は、カラー部７への移行領域９が終端する基点Ｐにて屈曲する。その基点Ｐは依然、軸受座１３の取付孔１７（１４の誤記）内にあり、そのため、点Ｐにて屈曲または反りがさらに進行するにつれて、カラー部７は、側方が接点Ａにて取付孔１４の縁部に当たる。それにより、接点Ａからカラー部７の自由端と押圧面１９の接点に至る部分をレバーアームとする長いてこが形成される。カラー部７がそれぞれの接点Ａで接触された状態で、嵌込方向ａと反対方向に押圧面１９がさらに前進すると、カラー部７がさらに屈曲され、これに伴って、滑り軸受本体２が、てこの原理によって嵌込方向ａで取付孔１４内へとさらに引き込まれ、第一フランジ３が、軸受支持体１１の正面側接触面１５に対してより堅く引っ張られる。その結果、軸受支持体１１内における滑り軸受の締まり嵌めが強化されるので、滑り軸受システム１の動作信頼性が向上する。
【００４８】
図６ｃは、カラー部７が曲げられて第二フランジ８を提供し、軸受座１３の背面側接触面１６に当たる、カラー部７の屈曲動作の終点を示す。このように、滑り軸受１は、１つの作業工程で軸受支持体１１内に締まり嵌めで嵌め付けられている。次いで、ネジを緩めることに嵌付工具１７は、よって取り外される。
【００４９】
その後、ここには示さないが、滑り軸受システム１２は、第二フランジが構成要素と接触面との間に挟み付けられるように、固定部によって構成要素（ここでは図示せず）へと固定され、これによってさらに、軸受支持体内における滑り軸受１の位置的安定性、すなわち動作信頼性が向上する。
【図面の簡単な説明】
【００５０】
【図１】滑り軸受の第一の実施形態を示す斜視図。
【図２】滑り軸受を示す平面図。
【図３】滑り軸受を示す縦断面図。
【図４ａ】図１の滑り軸受のアセンブリを、嵌付工具を用いて滑り軸受システムを設けるための軸受支持体とともに示す縦断面図。
【図４ｂ】図１の滑り軸受のアセンブリを、嵌付工具を用いて滑り軸受システムを設けるための軸受支持体とともに示す縦断面図。
【図４ｃ】図１の滑り軸受のアセンブリを、嵌付工具を用いて滑り軸受システムを設けるための軸受支持体とともに示す縦断面図。
【図５】滑り軸受の第二の実施形態を示す縦断面図。
【図６ａ】図５の滑り軸受のアセンブリを、嵌付工具を用いて滑り軸受システムを設けるための軸受支持体とともに示す縦断面図。
【図６ｂ】図５の滑り軸受のアセンブリを、嵌付工具を用いて滑り軸受システムを設けるための軸受支持体とともに示す縦断面図。
【図６ｃ】図５の滑り軸受のアセンブリを、嵌付工具を用いて滑り軸受システムを設けるための軸受支持体とともに示す縦断面図。
【符号の説明】
【００５１】
１    滑り軸受
２    滑り軸受本体
３    第一フランジ
４    第一端部
５    第二端部
６    リング
７    カラー部
８    第二フランジ
９    移行領域
１０  スロープ
１１  軸受支持体
１２  滑り軸受システム
１３  軸受座
１４  取付孔
１５  正面側接触面
１６  背面側接触面
１７  嵌付工具
１８  加圧パンチ
１９  押圧面
２０  円筒突起部
２１  固定部
２２  挿通孔
２３  当接面
２４  斜面
２５  第一の要素
２６  ネジ
２７  ネジヘッド
２８  ネジ軸
２９  第一の部分
３０  第二の部分
３１  雄ネジ
３２  第二の要素
３３  構成要素
３４  ネジ切りされたネジ孔
３５  雌ネジ山
ａ    嵌込方向
ｄａ  外径
ｄｉ  内径
Ｐ    基点
Ａ    接触点
【図１】
2008536070.tif 000003
【図２】
2008536070.tif 000004
【図３】
2008536070.tif 000005
【図４ａ】
2008536070.tif 000006
【図４ｂ】
2008536070.tif 000007
【図４ｃ】
2008536070.tif 000008
【図５】
2008536070.tif 000009
【図６ａ】
2008536070.tif 000010
【図６ｂ】
2008536070.tif 000011
【図６ｃ】
2008536070.tif 000012
【手続補正書】
【提出日】平成19年2月12日(2007.2.12)
【手続補正１】
【補正対象書類名】特許請求の範囲
【補正対象項目名】全文
【補正方法】変更
【補正の内容】
【特許請求の範囲】
【請求項１】
シャフトの軸方向及び／又は径方向の力を担持するためのシャフト用滑り軸受システムであって、
中空円筒形の滑り軸受本体（２）と、前記滑り軸受本体（２）の第一端部（４）に形成された径方向外側に延びる第一フランジ（３）とを有する滑り軸受（１）を備え、
前記滑り軸受本体（２）の前記第一端部（４）と対向関係にある第二端部（５）に、外側に屈曲させて第二フランジ（８）を形成することができるように、周方向に離隔されたカラー部（７）のリング（６）が形成され、
前記システムがさらに、軸受支持体（１１）を備え、
前記軸受支持体（１１）は、取付孔（１４）を備える軸受座（１３）を有し、
前記取付孔（１４）は、前記滑り軸受（１）を受けるために前記滑り軸受本体（２）の外径（ｄａ）に適合され、前記２つのフランジ（３、８）と接触する軸受座（１３）の２つの接触面（１５、１６）に開口形成され、
第一フランジ（３）に当接される接触面（１５）が嵌込方向（ａ）の正面側に形成され、カラー部（７）を屈曲することにより形成された第二フランジ（１３）に当接される接触面（１６）が嵌込方向（ａ）の背面側に形成されたことを特徴とする滑り軸受けシステム。
【請求項２】
前記滑り軸受本体（２）の軸方向長さが、前記取付孔（１４）の軸方向長さよりわずかに短く形成されて成る請求項１記載の滑り軸受システム。
【請求項３】
前記カラー部（７）の肉厚が、前記滑り軸受本体（２）の肉厚よりも薄い請求項２又は３記載の滑り軸受システム。
【請求項４】
前記滑り軸受本体（２）の内径（ｄｉ）が、前記リング（６）の前記内径（ｄｉ）と等しい請求項１乃至３いずれか記載の滑り軸受システム。
【請求項５】
前記カラー部（７）は、軸方向自由端側に向かって最大で滑り軸受本体（２）の外径（ｄａ）へ達するところまで、その外側に拡がって形成されて成る請求項１乃至４いずれか記載の滑り軸受システム。
【請求項６】
前記カラー部（７）の自由端に斜面（２４）が形成され、前記斜面（２４）は、滑り軸受本体（２）から前記自由端へと向かう方向に沿って、内側から外向きに拡がって形成された請求項１乃至５いずれか記載の滑り軸受システム。
【請求項７】
射出成形部品により形成された請求項１乃至６いずれか記載の滑り軸受システム。
【請求項８】
前記軸受座（１３）の背面側接触面（１６）が、当該滑り軸受システム（１２）を装着する構成要素に対して、当該滑り軸受システム（１２）を当接させる当接面（２３）となっている請求項１乃至７いずれか記載の滑り軸受システム。
【請求項９】
当該滑り軸受システム（１２）を、その当接面（２３）を用いて前記構成要素に固定するための固定部（２１）を備えた請求項１乃至８いずれか記載の滑り軸受システム。
【請求項１０】
軸受支持体（１１）内でシャフトの軸方向及び／又は径方向の力を担持するための、前記シャフトのための滑り軸受（１）の組立て方法において、
前記滑り軸受（１）は、中空円筒形の滑り軸受本体（２）と、前記滑り軸受本体（２）の第一端部（４）にて構成された径方向外側に延びる第一フランジ（３）と、前記滑り軸受本体（２）の前記第一端部（４）と対向関係にある第二端部（５）に構成された周方向に離隔されたカラー部（７）のリング（６）とを備え、前記カラー部（７）は、第二フランジ（８）を設けるために外向きに屈曲させることができ、前記軸受支持体（１１）は、取付孔（１４）を備える軸受座（１３）を有し、前記取付孔（１４）は、前記滑り軸受（１）を受けるために前記滑り軸受本体（２）の外径（ｄａ）に適合され、前記方法は、
前記滑り軸受（１）及び前記軸受支持体（１１）を提供するステップと、
前記滑り軸受（１）の前記第一フランジ（３）が、前記滑り軸受本体（２）へと向かうその内面で、前記軸受座（１３）の前記嵌付方向（ａ）の前方側面である側面（１５）に当てられるようなやり方で、前記滑り軸受（１）の前記カラー部（７）及びそれに続く前記滑り軸受本体（２）を前記取付孔（１４）内に通すステップと、
前記カラー部が前記滑り軸受本体（２）へと向かうそれらの内面で、前記嵌付方向（ａ）の後方側面である前記軸受座（１３）の側面（１６）に当てられるように、前記軸方向カラー部（７）をそれらの自由端部で、工具を用いて径方向に屈曲させるステップと、
前記工具を取り外すステップと、
を含む方法。
【請求項１１】
カラー部（７）を屈曲させるため、作業位置で第一フランジ（３）に当接される第一の要素（２５）と、前記カラー部（７）を屈曲させるために嵌込方向（ａ）の反対側から軸受座（１３）の背面側の接触面（１６）に向かって案内される第二要素（３２）とを備えた嵌付工具（１７）により、前記カラー部（７）を背面側接触面（１６）へと径方向に屈曲させる操作が一つの作業工程で行われる請求項１０記載の方法。
【請求項１２】
前記工具（１７）は、第一の要素（２５）として、ネジヘッド（２７）とネジ軸（２８）とを備えるネジ（２６）を有し、前記ネジ軸（２８）は、前記ネジヘッド（２７）により近い平滑な第一の部分（２９）と、好ましくは前記第一の部分から自由端に至る部分に雄ネジ（３１）を形成した第二の部分（３０）とを備え、
前記第二要素（３２）として、前記第二の部分（３０）を係合させるためのネジ切りされたネジ孔（３４）が垂直に設けられた押圧面（１９）を有し、
前記カラー部（７）を屈曲させるため以下のステップ、すなわち、
前記ネジヘッド（２７）の下面が前記第一フランジ（３）に当たるまで、前記ネジ軸（２８）を嵌込方向（ａ）で前記滑り軸受本体内に貫通して差し込むステップと、
前記第二の部分（３０）を、前記ネジ切りされたネジ孔（３４）内に係合させるステップと、
前記押圧面（１９）を、嵌付方向（ａ）の反対側から軸受座（１３）の背面側接触面（１６）に向かって移動させることにより、カラー部（７）を同時に屈曲させて第二フランジ（８）を形成するステップと、
を含む請求項１１に記載の方法。
【請求項１３】
組み立てられた滑り軸受システム（１２）を、その前記軸受座（１３）の背面側接触面（１６）を当接面（２３）として用いて構成要素に当接し、前記カラー部（７）を屈曲形成した第二フランジ（８）を前記構成要素と前記当接面（２３）との間で効果的に締め付けることにより、当該滑り軸受システム（１２）を固定部（２１）によって前記構成要素に固定的に連結するさらなるステップを備えた請求項１０乃至１２いずれか記載の方法。
【手続補正２】
【補正対象書類名】明細書
【補正対象項目名】全文
【補正方法】変更
【補正の内容】
【発明の詳細な説明】
【技術分野】
【０００１】
本発明は、シャフトの軸方向及び／又は径方向の力を担持するためのシャフト用滑り軸受システムに関し、このシステムは、中空円筒形の滑り軸受本体（２）と、滑り軸受本体（２）の第一端部（４）にて構成された径方向外側に延びる第一フランジ（３）とを有する滑り軸受（１）を備え、滑り軸受本体（２）の第一端部（４）に対して反対側の第二端部（５）に、第二フランジ（８）を設けるために外向きに屈曲させられる周方向に離隔されたカラー部（７）で構成されたリング（６）が設けられている。さらに、このシステムは、軸受座（１３）を有する軸受支持体（１１）を備え、軸受座（１３）は、滑り軸受（１）を受けるために滑り軸受本体（２）の外径（ｄａ）に適合された、取付孔（１４）を備える。本発明はさらに、滑り軸受システムの組立方法に関する。
【背景技術】
【０００２】
上述した滑り軸受及び軸受支持体からなる通常の滑り軸受システムは、例えば、自動車製造において大量生産品として使用され、それらは、径方向及び軸方向に作用する力及びモーメントを担持するために、支持体の取付孔内に締まり嵌めされて取り付けられる。滑り軸受が支持体内に確実に嵌め付けられるように、取付孔は、滑り軸受と支持体との間の強固な嵌め合いを実現する程度の精密公差で非常に正確に機械加工されなければならない。これは、特に大量生産において非常に問題である。すなわち、支持体となる通常の金属板は、寸法の誤差を生じやすいからである。
米国特許第６２３８１２７Ｂ１号は、例えば後傾させることができる座席構成など枢動可能な構成要素を、枢動式に固定するための枢動軸受システムを開示している。その問題は、枢動軸受システムが複雑でかつ高価な構造を有していることである。さらに、軸受支持体内での滑り軸受が強固に嵌合されないという問題もある。
【特許文献１】米国特許第６２３８１２７Ｂ１号
【発明の開示】
【発明が解決しようとする課題】
【０００３】
したがって、本発明は、本明細書の冒頭で説明した種類の滑り軸受システムについて、単純で安価な構造を有し、且つ、その滑り軸受が、軸受支持体内に強固に嵌合されるようにすることを技術的課題としている。
【課題を解決するための手段】
【０００４】
本発明によれば、取付孔が、２つのフランジに接触する軸受座の両面、すなわち、嵌付方向正面側にあり第一フランジに接触する接触面と、嵌付方向背面側にありカラー部の屈曲によって形成される第二フランジに接触する接触面に開口している。
【０００５】
すなわちカラー部は、滑り軸受本体の第二端部から、舌片状の構成で軸方向に延び、リングの外径及び滑り軸受本体の外径は、滑り軸受を受けるための支持体の取付孔の内径とほぼ等しく形成されている。その嵌込位置において、嵌込方向に対して正面に位置する支持体の接触面に第一フランジが当たるまで、カラー部を嵌込方向で取付孔内に通すことができる。次いでカラー部は、第二フランジを形成するために、嵌込方向に対して背面側にある接触面に第二フランジが当たるまで、固定位置へと屈曲させることができる。そのようにして、滑り軸受を両側にて、２つのカラー部によって支持体内に保持することができるため、滑り軸受または滑り軸受本体及び取付孔の直径に関する精密な寸法公差を要求する従来技術に従って滑り軸受本体を支持体内に圧入することによる、締まり嵌めの必要がない。さらに、滑り軸受は、米国特許第６２３８１２７Ｂ１号の軸受に比べて、より複雑性の低い構造のものである。本明細書では、以下でさらに詳細に説明するように、大量生産部品の形で予め製造することができる滑り軸受アセンブリが提案される。
【０００６】
好ましい発展形態では、カラー部の壁厚を、滑り軸受本体の壁厚未満とすることができる。それによって、カラー部をより容易に屈曲させることができる。その点に関して、滑り軸受本体とリングとの間の移行部として、段差が設けられる。好ましくは、カラー部は、滑り軸受本体の壁厚がカラー部の壁厚と連続する滑り軸受本体へと向かう移行領域を有するべきである。移行領域は、カラー部が屈曲されるときに、段差と比べて亀裂の形成に関する影響を受けにくくなる可能性がある。一構成では、移行領域は、容易に製造することができるように直線的に狭くなる断面形状とすべきである。その目的のために、移行領域は、その径方向外側の面に斜面を形成することができる。この構成により、カラー部が屈曲されたときにてこの作用を生じ、それによって滑り軸受が、その滑り軸受本体と共にさらに取付孔内へと引き込まれ、そのため第一フランジは、支持体の嵌込方向正面に位置し、第二フランジの反対側に形成される接触面に押し付けられる。さらに、外周面に形成されたスロープによって、滑り軸受を取付孔内へと容易に差し込むことが可能になる。そして、てこの作用を最適化するために、滑り軸受本体の内径を、リングの内径と等しくすることができる。
【０００７】
好ましい実施形態では、滑り軸受のカラー部は嵌込位置において、最も外側でもそれらの自由端が滑り軸受本体の外周を越えて径方向に突出しないところまで、径方向外側に拡がって形成されている。これにより、カラー部は、依然、いかなる問題も伴わずに取付孔を通して案内されることとなる。また、それらのカラー部が部分的に径方向に延びていることにより、例えば、第一フランジと平行な平坦な押圧面を嵌込方向反対側から自由端に向かって案内させることにより、カラー部をさらに径方向外側に屈曲させ易く、この場合、自由端は、その接触面にて径方向外側に摺動していく。
【０００８】
好ましくは、自由端は、内側から外側へと嵌込方向に向かって拡がる斜面を備える。嵌付工具の押圧面がまず、自由端の径方向外側縁部にそれぞれ係合し、てこの作用の結果として、径方向外向きに作用する外力・曲げモーメントを生じさせ、その斜面によって、特に、軸方向またはほぼ軸方向のカラー部の第一の屈曲運動が容易になる。
【０００９】
好ましくは、滑り軸受は、好ましくはプラスチックの射出成形部品の型で一体的に製作される。その場合、プラスチック材料は、従来の滑り軸受のものと同様、滑り軸受の意図された用途に合う特性によって分類することができる。それらは例えば、耐摩耗性、耐熱性、耐腐食性、振動減衰、及び低重量を含み、滑り軸受内のシャフトの保守不要な乾燥駆動が可能になる。滑り軸受は、複数のプラスチック材料から、複数構成要素射出成形工程において製作することができる。その目的のために、たとえば、支持されるシャフトがそれに接触して回転する滑り軸受の滑り軸受表面は、特に、耐摩耗性及び耐熱性プラスチック材料とすることができ、カラー部及び滑り軸受表面を支持する滑り軸受本体の部品は、良好な防振性を有するプラスチック材料を含むことができる。
【００１０】
【００１１】
軸受座の背面側接触面は、滑り軸受システムを取り付けることができる構成要素に対して滑り軸受システムを当接させるための当接面となっている。その目的のために、当接面は、所定の構成要素に対して特異的に適合させることができ、または大量生産品という意味では、固定用挿通孔の長手軸に対して垂直関係で延びる平坦な面の形とすることができる。
【００１２】
滑り軸受の好ましい構成では、滑り軸受本体の軸方向長さは、取付孔の軸方向長さよりもわずかに短くすることができる。そのようにして、カラー部は、滑り軸受が取付孔内に挿入された後に、それらの端部の対応する大きさの領域が、取付孔内で滑り軸受本体に連結されたままとなる。第二フランジを設けるためにカラー部が屈曲させられることにより、滑り軸受本体は、取付孔内へと嵌付方向にさらに引き込まれ、取付孔内での滑り軸受の強固な嵌合が補強される。それに伴う大きさは、滑り軸受本体の壁厚のほぼ等倍から２倍に相当する可能性がある。
【００１３】
滑り軸受システムを構成要素に固定及び／または締結するために、滑り軸受システムは、固定部を有することができる。好ましくは、軸受支持体は、提供される固定部によって、構成要素に固定することができる。
【００１４】
また、滑り軸受は、滑り軸受システムを設けるために、基本的に２つの組立てステップで軸受支持体に組み付けることができ、軸方向に延びるカラー部を有する滑り軸受及び軸受支持体が、たとえば別々のディスペンサから提供された後、第一フランジが滑り軸受支持体へ移動し、正面側接触面に当接させる方法で、滑り軸受のカラー部及びそれに続く滑り軸受本体を、取付孔を通して嵌込方向で嵌め入れることができる。
第二の組立ステップでは、まず、軸方向カラー部を、適当な嵌付工具によって、たとえば、先端を滑り軸受と同軸にして、嵌込方向と対向関係で滑り軸受本体内へと動かされる錐体を用いて、その自由端で径方向に屈曲させることができる。次いで、背面側接触面に接触する平坦な押圧面を有する嵌付工具によって、カラー部を押圧することができ、この場合カラー部は、背面側接触面に当接されることになる。カラー部を、１つの作業動作で背面側接触面と接触する位置へと屈曲させるために、嵌付工具は、カラー部を屈曲させる第一のステップのために、かつ／または中空円筒形の滑り軸受本体内に嵌付工具を軸方向に案内するために、中央の好ましくは円筒形の盛り上がった部分を有する平坦な押圧面を備えることができる。次いで、組み立てられた滑り軸受システムは、軸受本体の背面側接触面を当接面として、構成要素に当接させるようにすることができ、かつ、屈曲させられたカラー部によって形成された第二フランジが、構成要素と軸受支持体との間で効果的に締め付けられて、滑り軸受が支持体内の回転及び移動に対して固定されることが保証されるように、滑り軸受システムを、固定部によって構成要素に固定的に連結させることができる。カラー部が屈曲させられ、定位置で締め付けられることにより、カラー部はさらに、滑り軸受本体及び第一フランジを取付孔内へとさらに引き込み、またはそれらを支持体の嵌込方向正面側接触面に強く押し付けることができ、そのため、締まり嵌めをさらに補強することができる。
【００１５】
その単純な組立て手順は、大量生産部品の製造によく適している。滑り軸受は、たとえば１つの場所で予め製造し、別の場所で使用することができる。
【００１６】
固定部として、ネジまたはリベットを構成要素に連結するために軸受支持体に設けられた少なくとも１つの挿通孔を形成することができる。対応する挿通孔の列は、大量生産構成として構成要素内に設けることができ、構成要素内の滑り軸受システムの所期の位置決めに従って、その固定のために使用することができる。好ましくは、挿通孔の長手軸は、取付孔の長手軸と平行に、接触面と垂直に延びる。したがって、長手軸は、当接面が構成要素に対して押し付けられる加圧方向に延びる。軸受支持体はそれ自体、好ましくは薄金板から製作することができる。
【００１７】
望ましくは、薄板金で製造される軸受座は、２本の異なる長さの対角線を有する菱形輪郭を備えることができ、挿通孔は、長い方の対角線が対面する隅部内に配置され、取付孔は、２つの対角線の交点にて中心に配置される。ネジまたはリベット連結に加えて、径方向の力を担持するためのプラグ連結も可能である。
【００１８】
その他の実施形態はまた、３つ以上の挿通孔の配列を有することができ、それらは好ましくは、周縁上に、それらの中心点間の角度間隔が等しい状態で線対称に配列される。
【００１９】
比較的大きい径方向荷重が生じる場合に特に適していると思われる、滑り軸受システムの別の固定形態では、滑り軸受システム内で支持されるシャフトが、固定位置で取付孔と位置合せして配列される構成要素内の挿通孔によって、さらに案内される。これらの挿通孔ではまた、より大きい公差を許容することができる。この形態では、滑り軸受は、リニア軸受として働くことができる。
【００２０】
上記実施形態のうちの１つによる滑り軸受を用いた上記実施形態のうちの１つによる滑り軸受システムは、以下のように組み立てられる。
すなわち、軸受支持体内でシャフトの軸方向及び／又は径方向の力を担持するための、シャフトのための滑り軸受の組立て方法において、
滑り軸受（１）は、中空円筒形の滑り軸受本体（２）と、滑り軸受本体（２）の第一端部（４）にて構成された径方向外側に延びる第一フランジ（３）と、滑り軸受本体（２）の第一端部（４）と対向関係にある第二端部（５）に構成された、周方向に離隔されたカラー部（７）のリング（６）とを備え、
カラー部（７）は、第二フランジ（８）を設けるために外向きに屈曲させることができ、
軸受支持体（１１）は、取付孔（１４）を備える軸受座（１３）を有し、取付孔（１４）は、滑り軸受（１）を受けるために滑り軸受本体（２）の外径（ｄａ）に適合され、
この方法は、以下の方法ステップ、すなわち、滑り軸受（１）及び軸受支持体（１１）を提供するステップと、滑り軸受（１）の第一フランジ（３）が、滑り軸受本体（２）へと向くその内面で、軸受座（１３）の嵌付方向（ａ）前方側面である側面（１５）に当てられるようなやり方で、滑り軸受（１）のカラー部（７）及びそれに続く滑り軸受本体（２）を取付孔（１４）内に通すステップと、カラー部が、滑り軸受本体（２）へと向かうそれらの内面で嵌付方向（ａ）内の後方側面である軸受座（１３）の側面（１６）に当てられるように、工具を用いて軸方向カラー部（７）を、それらの自由端部で径方向に屈曲させるステップと、工具を取り外すステップとを含むことができる。
【００２１】
軸方向カラー部の屈曲動作は、２つの方法ステップにおいて行うことができ、カラー部は、第一のステップで、適当な嵌付工具によって、たとえば、先端を滑り軸受（２）と同軸にして嵌込方向（ａ）と対向関係で滑り軸受本体（２）内へと動かされる錐体などを用いて、その自由端で径方向に屈曲させられ、第二のステップで、背面側接触面に接触する平坦な押圧面を有するさらなる嵌付工具を用いてプレスされる。
【００２２】
好ましくは、カラー部を背面側接触面に向かって径方向に屈曲させる動作は、１つの作業動作において行われる。カラー部を屈曲させるための嵌付工具は、第一の要素が、作業位置で第一フランジに当たり、またカラー部を屈曲させるために、第二の要素を用いて嵌込方向の反対側から軸受座の背面側接触面に向かって案内される。
【００２３】
その場合、嵌付工具の第二の要素は、まずカラー部を屈曲させるために、かつ／または中空円筒形の滑り軸受本体内に嵌付工具を同軸に案内するために、中央の好ましくは円筒形に盛り上がった部分を備える平坦な押圧面を有することができ、その中心の盛り上がった部分とともに、滑り軸受に対して同軸に、かつ嵌込方向と反対側から滑り軸受本体内へと動かすことができる。第一の要素は、第一フランジに対して押し付けられる加圧要素、特に加圧パンチとすることができる。
【００２４】
上記のように、屈曲させられていない状態にあるカラー部の径方向移動構成要素が、最も外側でそれらが滑り軸受本体の外周と同じところまで径方向に突出する程度に延びる場合、カラー部の屈曲動作もまた、カラー部を屈曲させるための平坦な押圧面を有する嵌付工具を用いて、一ステップで行うことができる。その目的のために、押圧面を、接触面と平行に、かつ嵌込方向と対向関係で、軸受支持体によって案内されるカラー部の自由端に向かって案内することができ、そのようにして、カラー部をそれらの自由端で、摺動関係で径方向外側に屈曲させることができる。屈曲動作は、カラー部が背面側接触面に接触するまで行うことができる。
【００２５】
好ましい構成では、嵌付工具は、第一の要素として、ネジヘッドとネジ軸とを備えるネジを有することができ、ネジ軸は、ネジヘッドにより近い平滑な第一の部分と、好ましくは自由端にまで隣接し雄ネジを備える第二の部分とを備え、嵌付工具はまた、第二の要素として、その中に第二の部分を係合させるために垂直に設けられたネジ切りされたネジ孔を備える、押圧面を有する。カラー部を屈曲させる動作は、以下の方法ステップ、すなわち、ネジ軸を、ネジヘッドの下面が第一フランジに当たるまで、嵌込方向で滑り軸受本体内へとまたそれを通して軸方向に差し込むステップと、第二の部分をネジ切りされたネジ孔内に係合させるステップと、嵌込方向（ａ）と対向関係で軸受座（１３）の前記背面側接触面（１６）に向かってネジ込むことによって、ネジを回し続けて押圧面を移動させるステップであって、第二フランジがもたらされると同時にカラー部が屈曲させられるステップにおいて行うことができる。
【００２６】
カラー部を屈曲させるために、ネジは、その軸部が取付孔を通って突出する状態で、その頭部の下面が第一フランジに当たり、取付孔内で平滑な部分を備えて構成され、好ましくは内側で移動可能に滑り軸受本体に当たり、その雄ネジが取付孔外へと延出し、雄ネジを雌ネジ山と係合させるように、構成することができる。カラー部を屈曲させるために、ネジを回転させることによって押圧面をカラー部の自由端に向かって移動させることができ、さらに、カラー部が背面側接触面に当たり第二フランジを形成するようにカラー部は、屈曲させられる。
【００２７】
ネジヘッドの外径は、第一フランジ全体を用いて必要な圧力を加えることができるようにするため、少なくとも第一フランジの外径と同じ大きさにすることができる。好ましくは、ネジ切りされたネジ孔が、押圧面の中央に設けられる。
【００２８】
第二の部分の外径は、好ましくは、第一の部分の外径よりも小さい。そのようにして、カラー部を屈曲させるために、押圧面は、カラー部の自由端を越えて径方向内側に突出し、自由端に係合することができ、カラー部をより容易かつ確実に屈曲させることを可能にすることができる。
【００２９】
組み立てられた滑り軸受システムは、軸受本体の背面側接触面を、構成要素に当たる当接面として取り付けることができ、かつ、固定部によって構成要素に固定的に連結させることができ、そのため、カラー部の屈曲によって形成される第二フランジが、構成要素と受容本体との間で効果的に締め付けられる。
【００３０】
カラー部が屈曲させられ、続いて定位置で締め付けられることにより、滑り軸受本体及び第一フランジを、取付孔内へとさらに引き込むことができ、第一フランジを、軸受支持体の正面側接触面に対して押し付けることができる。
【００３１】
ネジ及び接触圧力を用いる上記嵌付工具を使用するとき、滑り軸受システムを接触させるために設けられ、ネジ用の雌ネジ山を有するネジ切りされたネジ孔が内部に設けられる構成要素の側面は、接触押圧面として働くことができる。そのようにして、第一のステップで、滑り軸受システムを、作業片に対してネジ付けし、第二フランジを同時に形成することができる。後続のステップで、滑り軸受システムは、それに設けられる固定部によって、構成要素に連結させることができる。最後に、嵌付工具からネジを緩めて、滑り軸受システムから取り外すことができる。
【００３２】
上記で説明したように、固定位置で取付孔と位置合せされるネジ孔を、構成要素内にさらに配置することができる場合、ネジヘッドの代わりに、その上に係合するネジナットを有するネジ切りされた軸部と、少なくとも第二の部分を解放可能に径方向に広げることができる、ネジ山の代わりまたは追加の第二の部分とを設けることができ、それによって、第二の部分を、ネジ孔の内側にて固定部分内に固定することができ、すなわち、ネジナットを第一フランジに対して締め付けるための支持を形成することができる。
【００３３】
以下、本発明を、添付の図面を参照しながら一実施形態を例として用いて、より詳細に説明する。
図１は、滑り軸受の第一の実施形態を示す斜視図である。
図２は、滑り軸受を示す平面図である。
図３は、滑り軸受を示す縦断面図である。
図４ａ〜４ｃは、図１の滑り軸受のアセンブリを、嵌付工具を用いて滑り軸受システムを設けるための軸受支持体とともに示す縦断面図である。
図５は、滑り軸受の第二の実施形態を示す縦断面図である。
図６ａ〜６ｃは、図５の滑り軸受のアセンブリを、嵌付工具を用いて滑り軸受システムを設けるための軸受支持体とともに示す縦断面図である。
【発明を実施するための最良の形態】
【００３４】
図１から図３は、滑り軸受１の第一実施形態を示し、滑り軸受１は、中空の円筒形滑り軸受本体２と、滑り軸受本体２の第一端部４から径方向外側に延びる第一フランジ３とを備える。第一端部４の反対側端部となる滑り軸受本体２の第二端部５には、軸方向に延び周方向に離隔されたカラー部７を備えたリング６が形成されている。図４ａから図４ｃに示すように、カラー部７が外側に屈曲されると、図４ｂ及び図４ｃに示す第二フランジ８が形成される。
【００３５】
特に図１及び図３に見られるように、カラー部７の厚さは、滑り軸受本体２及び第一フランジ３の厚さよりも小さい。滑り軸受本体２の内径ｄｉは、リング６の内径ｄｉと等しい。さらに、カラー部７は、その径方向外側側面にてスロープ１０の形の直線状断面テーパを有する移行領域９で、滑り軸受本体２へと連続形成されている。それによって、以下に詳細に示すように、カラー部７を屈曲させて図４ｂ及び図４ｃに示す第二フランジ８を形成することにより、滑り軸受本体２をその第一フランジ３とともに、図４ａから図４ｃに示す軸受支持体１１側へとさらに大きく拡径させることができる。
【００３６】
本実施形態では、カラー部７は、周上に均等に離隔して構成される。ここでは、１０個のカラー部が、第二端部と一体に形成される。滑り軸受本体２の端部開口は、第一端部４に向かって丸みがつけられている。
【００３７】
図４ａから図４ｃは、図１から図３に示す滑り軸受１と軸受支持体１１とを有する滑り軸受システム１２を示し、支持体１１は、軸受座１３に、滑り軸受本体２の外径ｄａに適合された取付孔１４が形成されて成る。取付孔１４は、２つのフランジ２、８に接触する働きをする軸受座１３の両面、すなわち、嵌込方向ａに対して正面側にあり第一フランジ３と接触する側面１５と、嵌込方向ａに対して背面側にあり屈曲したカラー部７によって形成される第二フランジ８と接触する側面１６に開口している。
【００３８】
図４ａから図４ｃは、各作業段階における滑り軸受システム１２のアセンブリを示す。図４ａにおいて、滑り軸受１は、嵌込方向ａに向かって第一フランジ３が側面１５に当たるところまで取付孔１４に差し込まれる。
【００３９】
図４ｂは、加圧パンチ１８の形状の嵌付工具１７を示し、その嵌付工具１７は、押圧面１９と円筒突起部２０とを有し、円筒突起部２０は軸受本体２の内径に適合するように形成され、嵌付工具１７を滑り軸受１内で同軸的に案内するようになされている。この場合、図４ｂは、加圧パンチ１８の押圧面１９によって、第二フランジ８を設けるためにカラー部７が既に屈曲され、滑り軸受アセンブリ１２が形成された状態を示す。
【００４０】
滑り軸受本体２は、滑り軸受１が取付孔４（１４の誤記）内に差し込まれるときに、その第二端部１５（５の誤記）が背面側接触面１６まで延びず、そのため、滑り軸受本体２に連結された端部領域が、カラー部７への移行領域９とともに取付孔１４内に留まることが、図４ａから図４ｃにはっきりと見られる。カラー部７が屈曲されたとき、カラー部７の断面が滑り軸受本体２の断面に対して小さくなっていること、及びカラー部７の端部領域が取付孔１４内に留まっていることにより、滑り軸受１は、取付孔１４で嵌込方向ａへ向かってさらに引っ張られる。それにより、第一フランジ３が、軸受支持体１１の正面側接触面１５に対してより強く引っ張られることになる。このようにして、軸受支持体１１内の滑り軸受１の締まり嵌めは、一般に強化され、軸受支持体１１内での滑り軸受１の回転に対する抵抗が増大する。
【００４１】
滑り軸受システム１２はまた、それを他の構成要素（図示せず）に対して固定するための固定部２１を備える。固定部２１は、軸受座１３内に設けられ取付孔１４と平行に延びる２つの挿通孔２２を有し、滑り軸受システム１２を構成要素に固定するために、例えばネジまたはリベットなどの緊締要素を、挿通孔２２に通すことができる。挿通孔２３（２２の誤記）は、取付孔１４の両側に、互いに対向関係で、取付孔１４と一列に配列される。
【００４２】
滑り軸受システム１２を他の構成要素（ここでは図示しない）に固定するために、滑り軸受システム１２を、軸受本体２の当接面２３となる背面側接触面１６を当該他の構成要素に接触させるように嵌込方向ａに押し当てることができ、この状態で、固定部２１によって連結させることができる。それにより、屈曲したカラー部７によって形成される第二フランジ８が、他の構成要素と当接面２１（２３の誤記）との間で効果的に締め付けられ、軸受支持体１１内での滑り軸受１の非回転性及び非移動性が、実質的に向上する。
【００４３】
すなわち、滑り軸受システム１２は、大量生産部品の形で予め製造し、構成要素上の準備された位置に固定することができる。その目的のために、構成要素はたとえば、滑り軸受システム１２へのネジ連結部を作り出すための開口の列を有することができ、それらは、構成要素上の滑り軸受システムの、それぞれ所望の位置決めに応じて選択することができる。したがって、ここで示す滑り軸受システム１２は、同様に大量生産部品の形である構成要素に固定することができる、大量生産部品として適当であり、滑り軸受システム１２を選択的に固定する所要数の開口が予め形成されている。
【００４４】
図５は、第二の実施形態における滑り軸受１の縦断面図を示す。
本例の滑り軸受１は、カラー部７の構成において、第一の実施形態の滑り軸受１と異なる。カラー部７は、それによって取り囲まれる内部空間が嵌込方向ａに向かって円錐状に拡張するように、その自由端に近づくに従って外側に拡張して形成されている。このことは、図５に示すように、滑り軸受本体２を外径ｄａのまま延長した場合の破線が、断面で示されるカラー部７に徐々に近づいていることからもわかる。また、カラー部の自由端先端部には斜面２４がそれぞれ設けられ、当該斜面２４は、嵌込方向ａまたは滑り軸受本体２から離れる方向に従い内側から外側へと傾斜している。これら双方の手段により、以下に示すように、カラー部７の自由端をその半径方向外側に、より簡単に、より確実に曲げることができ、また、カラー部７を基点Ｐにて確実に折り返すことができるようになっている。基点Ｐは、カラー部７に向かう滑り軸受１の薄い肉厚部分の始点となる位置を表している。
【００４５】
図６ａから図６ｃは、カラー部７の屈曲に伴う手順を３つのステップで示す。その目的のために使用される嵌付工具１７は、図４ａから図４ｃに示したものと根本的に異なるが、図４ａから図４ｃに示した嵌付工具１７と同様、カラー部７を、それらによって第二フランジ８（図６ｃ）が形成されるようなやり方で屈曲させる機能を果たす。嵌付工具１７の第一の要素２５は、ネジヘッド２７及びネジ軸２８を備えるスクリューボルト２６を有する。ネジ軸２８は、ネジヘッド２７と隣接し平坦な表面を有する第一の部分２９を備え、その端部領域において雄ネジ３１を有する第二の部分３０が連結されている。嵌付工具１７の第二の要素３２は、押圧面１９を有するプレートの形の構成要素３３である。構成要素３３には、ネジ切りされたネジ孔３４が押圧面１９と垂直に設けられており、ネジ孔３４内に第二の部分３０が係合して、その雄ネジ３１がネジ切りされたネジ孔３４内の雌ネジ３５と螺合する。
【００４６】
図６ａにおいて、ネジ軸２８は、屈曲動作時にネジヘッド２７を第一フランジ３に表面接触させ、フランジ３を正面側接触面１５に対して押し付けるところまで、軸方向に従い嵌込方向ａに向かって滑り軸受本体２の貫通して案内される。スクリューボルト２６の第一の部分２９は、滑り軸受本体２の内面に当接され、後工程におけるカラー部７の屈曲動作中に滑り軸受本体を安定させる。第二の部分３０は、滑り軸受本体２の外まで、嵌込方向ａに延設される。第一の部分（２９）の直径は、滑り軸受本体２の内径ｄｉと一致するが、第二の部分３０の直径は、それよりかなり小さい。その結果、構成要素２３（３３の誤記）の押圧面１９は（滑り軸受１の）径方向内側に拡がることとなり、カラー部７の自由端は押圧面１９の径方向内縁部から所定間隔離れた位置で押圧面１９に確実に当接される。第二の部分３０は、構成要素３３のネジ切りされたネジ孔３４と螺合する。この場合、構成要素３３は、押圧面１９にてカラー部７の自由端と接触するところまで、第二の部分３０上にネジ係合されている。すなわち、図６ａは、カラー部７の屈曲開始前の瞬間を示す。上記で既に述べたように、まだ屈曲されていないカラー部７のリングは、わずかな円錐構成で嵌込方向に開いている。
【００４７】
ネジ運動の前進とともに、押圧面１９が軸受座１３の背面側接触面１６に接近すると、カラー部７は、その自由端が押圧面１９に接触した状態で径方向外側に摺動し、径方向外側に屈曲される。この状況において、カラー部７は、カラー部７への移行領域９が終端する基点Ｐにて屈曲する。その基点Ｐは依然、軸受座１３の取付孔１７（１４の誤記）内にあり、そのため、点Ｐにて屈曲または反りがさらに進行するにつれて、カラー部７は、側方が接点Ａにて取付孔１４の縁部に当たる。それにより、接点Ａからカラー部７の自由端と押圧面１９の接点に至る部分をレバーアームとする長いてこが形成される。カラー部７がそれぞれの接点Ａで接触された状態で、嵌込方向ａと反対方向に押圧面１９がさらに前進すると、カラー部７がさらに屈曲され、これに伴って、滑り軸受本体２が、てこの原理によって嵌込方向ａで取付孔１４内へとさらに引き込まれ、第一フランジ３が、軸受支持体１１の正面側接触面１５に対してより堅く引っ張られる。その結果、軸受支持体１１内における滑り軸受の締まり嵌めが強化されるので、滑り軸受システム１の動作信頼性が向上する。
【００４８】
図６ｃは、カラー部７が曲げられて第二フランジ８を提供し、軸受座１３の背面側接触面１６に当たる、カラー部７の屈曲動作の終点を示す。このように、滑り軸受１は、１つの作業工程で軸受支持体１１内に締まり嵌めで嵌め付けられている。次いで、ネジを緩めることに嵌付工具１７は、よって取り外される。
【００４９】
その後、ここには示さないが、滑り軸受システム１２は、第二フランジが構成要素と接触面との間に挟み付けられるように、固定部によって構成要素（ここでは図示せず）へと固定され、これによってさらに、軸受支持体内における滑り軸受１の位置的安定性、すなわち動作信頼性が向上する。
【図面の簡単な説明】
【００５０】
【図１】滑り軸受の第一の実施形態を示す斜視図。
【図２】滑り軸受を示す平面図。
【図３】滑り軸受を示す縦断面図。
【図４ａ】図１の滑り軸受のアセンブリを、嵌付工具を用いて滑り軸受システムを設けるための軸受支持体とともに示す縦断面図。
【図４ｂ】図１の滑り軸受のアセンブリを、嵌付工具を用いて滑り軸受システムを設けるための軸受支持体とともに示す縦断面図。
【図４ｃ】図１の滑り軸受のアセンブリを、嵌付工具を用いて滑り軸受システムを設けるための軸受支持体とともに示す縦断面図。
【図５】滑り軸受の第二の実施形態を示す縦断面図。
【図６ａ】図５の滑り軸受のアセンブリを、嵌付工具を用いて滑り軸受システムを設けるための軸受支持体とともに示す縦断面図。
【図６ｂ】図５の滑り軸受のアセンブリを、嵌付工具を用いて滑り軸受システムを設けるための軸受支持体とともに示す縦断面図。
【図６ｃ】図５の滑り軸受のアセンブリを、嵌付工具を用いて滑り軸受システムを設けるための軸受支持体とともに示す縦断面図。
【符号の説明】
【００５１】
１    滑り軸受
２    滑り軸受本体
３    第一フランジ
４    第一端部
５    第二端部
６    リング
７    カラー部
８    第二フランジ
９    移行領域
１０  スロープ
１１  軸受支持体
１２  滑り軸受システム
１３  軸受座
１４  取付孔
１５  正面側接触面
１６  背面側接触面
１７  嵌付工具
１８  加圧パンチ
１９  押圧面
２０  円筒突起部
２１  固定部
２２  挿通孔
２３  当接面
２４  斜面
２５  第一の要素
２６  ネジ
２７  ネジヘッド
２８  ネジ軸
２９  第一の部分
３０  第二の部分
３１  雄ネジ
３２  第二の要素
３３  構成要素
３４  ネジ切りされたネジ孔
３５  雌ネジ山
ａ    嵌込方向
ｄａ  外径
ｄｉ  内径
Ｐ    基点
Ａ    接触点
【国際調査報告】
2008536070.tif 000013
2008536070.tif 000014
2008536070.tif 000015
2008536070.tif 000016